(57)【要約】【課題】デジタルカメラなどの電子機器で、メニュー操作部およびディスプレイ画面を小型化できるとともに、メニュー操作についての誤操作を防止できるようにする。【解決手段】メニューキーが押されることによってＣＰＵは、操作ガイド部１に「実行キーで下記を選択」という操作ガイドＧ１を付加したメニューページＰａを、ページタグＴａ〜Ｔｃを付加し、ページタグＴａ上にカーソルを位置させて表示する。ユーザは、メニュー項目Ｍａ１〜Ｍａ３のいずれかを実行する場合には、まず、「実行キーで下記を選択」という操作ガイドＧ１に従って実行キーを押す。これによってＣＰＵは、操作ガイド部１の表示を「戻る」という操作ガイドに変更し、カーソルを操作ガイド部１上に移動させる。この状態でユーザは、上下キーを操作してメニュー項目を選択し、さらに実行キーを押して、選択したメニュー項目を実行することができる。【選択図】　　　　図３
2004080351.tif 000002
【特許請求の範囲】
【請求項１】
機器の機能実行または設定のためのメニュー画面を表示させる操作が実行されることによって、複数のメニュー項目を含むメニューページを、当該メニューページを含む複数のメニューページのページタグを付加し、そのときのメニュー操作状態を示すカーソルを当該メニューページのページタグ上に位置させ、かつ当該メニューページ内の操作ガイド部に所定操作によって前記カーソルが当該メニューページ内に移動して当該メニューページ内のメニュー項目を選択できることを示す操作ガイドを表示した状態で、ディスプレイ上に表示する工程と、
この状態で前記所定操作が実行されることによって、前記操作ガイド部の表示を前記所定操作によって前記カーソルがページタグ上に戻ることを示す操作ガイドに変更し、かつ前記カーソルを前記操作ガイド部上に移動させて、当該メニューページを前記ディスプレイ上に表示する工程と、
を備えるメニュー表示方法。
【請求項２】
機器の機能実行または設定のためのメニュー画面として、操作ガイド部および複数のメニュー項目を含むメニューページが、当該メニューページを含む複数のメニューページのページタグが付加された状態で表示されるディスプレイと、
このディスプレイ上にメニュー画面を表示させる第１操作手段と、
前記ディスプレイ上に表示されるメニューページを選択し、または前記ディスプレイ上に表示されたメニューページ内でメニュー項目を選択する第２操作手段と、
そのときのメニュー操作状態を示すカーソルをページタグ上からメニューページ内に、またはメニューページ内からページタグ上に移動させ、かつ前記第２操作手段の操作によって選択されたメニュー項目を実行させる第３操作手段と、
前記カーソルがページタグ上にあるときには、前記操作ガイド部に前記第３操作手段の操作によって前記カーソルがメニューページ内に移動してメニュー項目を選択できることを示す操作ガイドを表示し、前記カーソルがメニューページ内にあるときには、前記操作ガイド部に前記第３操作手段の操作によって前記カーソルがページタグ上に戻ることを示す操作ガイドを表示する制御手段と、
を備える電子機器。
【請求項３】
請求項２の電子機器において、
当該電子機器がデジタルカメラであり、前記ディスプレイが画像モニタである電子機器。
【発明の詳細な説明】
【０００１】
【発明の属する技術分野】
この発明は、デジタルカメラ（デジタルスチルカメラ）などの電子機器の機能実行または設定（設定変更）のためのメニュー画面をディスプレイ上に表示する方法、および、メニュー画面がディスプレイ上に表示されるデジタルカメラなどの電子機器に関する。
【０００２】
【従来の技術】
デジタルカメラなどの電子機器で、機器の機能実行または設定のためのメニュー画面を液晶モニタなどのディスプレイ上に表示する方法の一つとして、インデックス方式がある。
【０００３】
デジタルカメラの場合について示すと、液晶モニタ上にメニューが開いていない状態で、メニューキーを押すと、例えば、図７（Ａ）に示すように、メモリカードについての、ファイル削除やファイルコピーなどのメニュー項目Ｍａ１，Ｍａ２‥‥を含むメニューページＰａが表示される。
【０００４】
このとき、メニューページＰａの左側には、メモリカード、カメラ、セットアップについてのメニューページのページタグＴａ，Ｔｂ，Ｔｃが表示され、そのときのメニュー操作状態を示すカーソルが、メニューページＰａのページタグＴａ上に位置し、ページタグＴａが、他のページタグＴｂ，Ｔｃと異なる明るさや色で表示される。
【０００５】
この場合のメニュー操作部は、例えば、図８に示すように、メニューキー６１、十字キー６２および実行キー６３によって構成される。
【０００６】
そして、メニューキー６１を押して、図７（Ａ）のように最初にメニューを開いた状態で、十字キー６２の右側キー６２Ｒを押すと、図７（Ｂ）に示すように、カーソルが、メニューページＰａ内の１番目のメニュー項目Ｍａ１上に移動し、メニュー項目Ｍａ１が、他のメニュー項目Ｍａ２，Ｍａ３‥‥と異なる明るさや色で表示される。ただし、ページタグＴａの表示自体は、変わらない。
【０００７】
この状態で、実行キー６３を押すと、メモリカードから画像ファイルを削除することができる。
【０００８】
また、図７（Ｂ）の状態で、十字キー６２の下側キー６２Ｄを押すと、カーソルが、メニューページＰａ内の２番目のメニュー項目Ｍａ２上に移動し、この状態で、実行キー６３を押すと、メモリカードに画像ファイルをコピーすることができる。
【０００９】
また、カーソルがメニュー項目Ｍａ２上にある状態で、十字キー６２の上側キー６２Ｕを押すと、カーソルがメニュー項目Ｍａ１上に移動して、図７（Ｂ）の状態に戻り、さらに、この状態で、十字キー６２の左側キー６２Ｌを押すと、カーソルがメニューページＰａ内からページタグＴａ上に移動して、図７（Ａ）の状態に戻る。
【００１０】
また、図７（Ａ）の状態で、十字キー６２の下側キー６２Ｄを押すと、メモリカードについてのメニューページＰａに代えて、カメラについての、画像サイズやストロボなどのメニュー項目を含むメニューページが表示され、カーソルが、そのメニューページのページタグＴｂ上に移動し、ページタグＴｂが、他のページタグＴａ，Ｔｃと異なる明るさや色で表示される。
【００１１】
この状態で、十字キー６２の右側キー６２Ｒを押すと、カーソルが、カメラについてのメニューページ内の１番目のメニュー項目上に移動し、カメラについてのメニューページ内のメニュー項目を選択し、実行することができる。
【００１２】
また、カーソルがページタグＴｂ上にある状態で、十字キー６２の上側キー６２Ｕを押すと、図７（Ａ）の状態に戻り、逆に下側キー６２Ｄを押すと、カメラについてのメニューページに代えて、セットアップについての、時計や表示言語などのメニュー項目を含むメニューページが表示され、カーソルが、そのメニューページのページタグＴｃ上に移動し、ページタグＴｃが、他のページタグＴａ，Ｔｂと異なる明るさや色で表示される。
【００１３】
しかし、上述した方法では、図８に示したように、十字キー６２のようなキーを必要とし、メニュー操作部が大型化する。
【００１４】
そこで、小型のデジタルカメラとして、図９に示すように、カメラ背面に液晶モニタ３１を設け、その下に、メニューキー２５、上下キー２６および実行キー２７からなるメニュー操作部２４を設けたものが考えられている。
【００１５】
このデジタルカメラでは、液晶モニタ３１上にメニューが開いていない状態で、メニューキー２５を押すと、例えば、図１０（Ａ）に示すように、メモリカードについての、ファイル削除やファイルコピーなどのメニュー項目Ｍａ１〜Ｍａ３を含み、１番上に「戻る」という操作ガイドＧ０が付加されたメニューページＰａが表示される。
【００１６】
このとき、メニューページＰａの左側には、メモリカード、カメラ、セットアップについてのメニューページのページタグＴａ，Ｔｂ，Ｔｃが表示され、そのときのメニュー操作状態を示すカーソルが、メニューページＰａのページタグＴａ上に位置し、ページタグＴａが、他のページタグＴｂ，Ｔｃと異なる明るさや色で表示される。
【００１７】
この状態で、実行キー２７を押すと、図１０（Ｂ）に示すように、カーソルが、メニューページＰａ内の１番上の操作ガイドＧ０上に移動し、操作ガイドＧ０が、メニュー項目Ｍａ１〜Ｍａ３と異なる明るさや色で表示される。
【００１８】
この状態で、上下キー２６を下側に押すと、カーソルがメニュー項目Ｍａ１上に移動し、この状態で、実行キー２７を押すと、メモリカードから画像ファイルを削除することができる。
【００１９】
また、カーソルがメニュー項目Ｍａ１上にある状態で、上下キー２６を上側に押すと、カーソルが操作ガイドＧ０上に移動して、図１０（Ｂ）の状態に戻り、さらに、この状態で、実行キー２７を押すと、カーソルがメニューページＰａ内からページタグＴａ上に移動して、図１０（Ａ）の状態に戻る。
【００２０】
また、図１０（Ａ）の状態で、上下キー２６を下側に押すと、メモリカードについてのメニューページＰａに代えて、カメラについての、画像サイズやストロボなどのメニュー項目を含み、１番上に「戻る」という操作ガイドが付加されたメニューページが表示され、カーソルがページタグＴｂ上に移動し、ページタグＴｂが他のページタグＴａ，Ｔｃと異なる明るさや色で表示される。
【００２１】
この状態で、上下キー２６を上側に押すと、図１０（Ａ）の状態に戻り、逆に上下キー２６を下側に押すと、カメラについてのメニューページに代えて、セットアップについての、時計や表示言語などのメニュー項目を含み、１番上に「戻る」という操作ガイドが付加されたメニューページが表示され、カーソルがページタグＴｃ上に移動し、ページタグＴｃが他のページタグＴａ，Ｔｂと異なる明るさや色で表示される。
【００２２】
【発明が解決しようとする課題】
しかしながら、図１０に示した従来の方法では、図９に示したように、メニュー操作部２４は、十字キーの代わりに上下キー２６を用いて小型化することができるものの、例えば、図１０（Ａ）のように最初にメニューを開いたとき、ユーザは、すでにカーソルがメニューページＰａ内にあると思って、ファイル削除やファイルコピーなどを行うべく、上下キー２６を下側に押してしまうことがある。
【００２３】
しかし、図１０（Ａ）のように最初にメニューを開いた状態では、カーソルは、ページタグＴａ上にあって、いまだメニューページＰａ内に移動してなく、この状態で、上下キー２６を下側に押すと、カメラについてのメニューページが表示され、さらにはセットアップについてのメニューページが表示されて、誤操作となる。
【００２４】
すなわち、ファイル削除やファイルコピーなどを行うには、図１０（Ａ）のようにメニューを開いた状態で、最初に、実行キー２７を押して、カーソルをメニューページＰａ内の操作ガイドＧ０上に移動させ、次に、上下キー２６を下側に押して、メニュー項目を選択し、次に、実行キー２７を押して、その選択したメニュー項目を実行させる必要がある。
【００２５】
そこで、この発明は、機器の小型化などのために、メニュー操作部およびディスプレイ画面を小型化できるとともに、機器の多機能化に伴うメニューの階層化にかかわらず、メニュー操作についての誤操作を防止できるようにしたものである。
【００２６】
【課題を解決するための手段】
この発明のメニュー表示方法は、
機器の機能実行または設定のためのメニュー画面を表示させる操作が実行されることによって、複数のメニュー項目を含むメニューページを、当該メニューページを含む複数のメニューページのページタグを付加し、そのときのメニュー操作状態を示すカーソルを当該メニューページのページタグ上に位置させ、かつ当該メニューページ内の操作ガイド部に所定操作によって前記カーソルが当該メニューページ内に移動して当該メニューページ内のメニュー項目を選択できることを示す操作ガイドを表示した状態で、ディスプレイ上に表示する工程と、
この状態で前記所定操作が実行されることによって、前記操作ガイド部の表示を前記所定操作によって前記カーソルがページタグ上に戻ることを示す操作ガイドに変更し、かつ前記カーソルを前記操作ガイド部上に移動させて、当該メニューページを前記ディスプレイ上に表示する工程と、
を備えるものとする。
【００２７】
上記のメニュー表示方法では、ユーザによってメニュー画面を表示させる操作が実行されることによって、複数のメニュー項目を含むメニューページが、当該メニューページを含む複数のメニューページのページタグが付加され、当該メニューページのページタグ上にカーソルが位置し、かつ当該メニューページ内の、例えば１番上の操作ガイド部に、「実行キーで下記を選択」というような、所定操作によってカーソルが当該メニューページ内に移動して当該メニューページ内のメニュー項目を選択できることを示す操作ガイドが表示された状態で、ディスプレイ上に表示される。
【００２８】
したがって、ユーザは、当該メニューページ内のメニュー項目を実行する場合には、まず、その操作ガイドに従って、実行キーを押すなどの所定操作を行えばよい。
【００２９】
これによって、上記のメニュー表示方法では、操作ガイド部の表示が、「戻る」というような、所定操作によってカーソルがページタグ上に戻ることを示す操作ガイドに変更され、かつカーソルが操作ガイド部上に移動した状態で、当該メニューページがディスプレイ上に表示される。
【００３０】
したがって、ユーザは、当該メニューページ内のメニュー項目を実行する場合には、次に、上下キーなどの操作手段を操作することによって、メニュー項目を選択し、さらに、実行キーを押すなどの所定操作によって、その選択したメニュー項目を実行すればよい。
【００３１】
また、選択したメニュー項目を実行した後、カーソルがページタグ上に位置する状態に戻すには、カーソルを操作ガイド部上に移動させた状態で、その操作ガイドに従って、実行キーを押すなどの所定操作を行えばよい。
【００３２】
さらに、メニューページを変更するには、あるメニューページが表示され、そのメニューページのページタグ上にカーソルが位置し、そのメニューページ内の操作ガイド部に、「実行キーで下記を選択」というような、所定操作によってカーソルが当該メニューページ内に移動して当該メニューページ内のメニュー項目を選択できることを示す操作ガイドが表示された状態で、カーソルを変更後のメニューページのページタグ上に移動させるように、上下キーなどの操作手段を操作すればよい。
【００３３】
したがって、上記のメニュー表示方法によれば、メニュー操作についてのユーザの誤操作を防止することができる。
【００３４】
しかも、メニュー操作部は、メニューを開き、閉じる、メニューキーのような操作手段、メニューページを選択し、またはメニューページ内でメニュー項目を選択する、上下キーのような操作手段、および、カーソルをページタグ上からメニューページ内に、またはメニューページ内からページタグ上に移動させ、かつ選択したメニュー項目を実行させる、実行キーのような操作手段によって構成することができ、メニュー操作部を小型化することができる。
【００３５】
さらに、「実行キーで下記を選択」というような、所定操作によってカーソルが当該メニューページ内に移動して当該メニューページ内のメニュー項目を選択できることを示す操作ガイド、および、「戻る」というような、所定操作によってカーソルがページタグ上に戻ることを示す操作ガイドは、メニューページ内の同じ操作ガイド部に表示され、操作ガイドの表示のためにメニューページおよびページタグとは別の表示エリアを必要としないので、ディスプレイ画面を小型化することができる。
【００３６】
【発明の実施の形態】
この発明をデジタルカメラに適用した場合を例に挙げて、この発明の一実施形態を示す。
【００３７】
〔実施形態のデジタルカメラの概略構成：図１および図２〕
図１は、この発明の一実施形態のデジタルカメラの外観構成を示す。
【００３８】
この実施形態のデジタルカメラ１０は、正面にレンズカバー１１を備え、これを左にスライドさせると、レンズ１２およびフラッシュ１３が露呈し、電源がオンとされるとともに、この状態でレンズカバー１１を右にスライドさせると、レンズ１２およびフラッシュ１３がレンズカバー１１で覆われ、電源がオフとされる。
【００３９】
正面から見て左側の側面には、別のカバー１４が設けられ、これを開けると、バッテリー収納部およびメモリカードスロットが露呈し、バッテリーおよびメモリカードを装脱することができる。
【００４０】
上面には、静止画、動画および再生のいずれかのモードを選択するモードキー２１、およびシャッターキー２２が設けられる。
【００４１】
背面の中央部には、液晶モニタ（液晶ディスプレイ）３１が設けられ、その下に、メニューキー２５、上下キー２６および実行キー２７からなるメニュー操作部２４が設けられる。
【００４２】
図２に、上記のデジタルカメラ１０の機能ブロック構成の一例を示す。このデジタルカメラ１０では、被写体からの光が、レンズブロック１５を介してＣＣＤ（Ｃｈａｒｇｅ　Ｃｏｕｐｌｅｄ　Ｄｅｖｉｃｅ）撮像素子１６に投射されて、ＣＣＤ撮像素子１６によって被写体像が撮像され、映像信号出力部１７から、輝度信号Ｙおよび赤、青の色差信号Ｃｒ，Ｃｂからなるデジタル映像信号が得られる。
【００４３】
そのデジタル映像信号は、信号処理部１８を通じてＲＧＢデコーダ１９に供給されて、液晶駆動用のＲＧＢ映像信号に変換され、そのＲＧＢ映像信号が、液晶モニタ３１に供給されて、液晶モニタ３１上に被写体像が表示される。
【００４４】
コントローラ３３は、図では省略したが、ＣＰＵ、このＣＰＵが実行すべき後述のメニュー表示処理ルーチンなどのプログラムや、メニュー表示用データなどの各種データが書き込まれたＲＯＭ、およびＣＰＵのワークエリアなどとして機能するＲＡＭなどによって構成される。
【００４５】
このコントローラ３３のパラレルバス３４に、上記の信号処理部１８、画像バッファ用のＤＲＡＭ（ダイナミックＲＡＭ）３５、およびメディアドライバ３６が接続され、メディアドライバ３６に、メモリカード３７が接続される。
【００４６】
また、コントローラ３３のシリアルバス３８に、ＯＳＤ（Ｏｎ　ＳｃｒｅｅｎＤｉｓｐｌａｙ）コントローラ３９が接続され、ＯＳＤコントローラ３９からのメニュー表示用およびアイコン表示用などの信号が、ＲＧＢデコーダ１９を通じて液晶モニタ３１に供給される。
【００４７】
操作部２０としては、上述したモードキー２１、シャッターキー２２、メニューキー２５、上下キー２６および実行キー２７が、インタフェース２９に接続され、インタフェース２９が、コントローラ３３に接続される。
【００４８】
そして、静止画モードでは、上述したように被写体像が、ＣＣＤ撮像素子１６によって撮像され、液晶モニタ３１上に表示された状態で、シャッターキー２２を押すと、コントローラ３３の制御によって、１画面分の画像データが、映像信号出力部１７から信号処理部１８を通じて、ＤＲＡＭ３５に取り込まれる。
【００４９】
ＤＲＡＭ３５に取り込まれた画像データは、一旦、コントローラ３３に取り込まれ、ＪＰＥＧ（Ｊｏｉｎｔ　Ｐｈｏｔｏｇｒａｐｈｉｃ　Ｅｘｐｅｒｔｓ　Ｇｒｏｕｐ）方式などで圧縮された後、ＤＲＡＭ３５の別のアドレスエリアに書き込まれる。
【００５０】
さらに、その圧縮された画像データは、コントローラ３３によって、ファイルヘッダなどが付加され、ＪＰＥＧ方式などの画像ファイルのストリームに変換されて、メディアドライバ３６によって、メモリカード３７に記録される。
【００５１】
再生モードでは、このようにメモリカード３７に記録された画像ファイルが、コントローラ３３およびメディアドライバ３６によって、メモリカード３７から読み出され、ＤＲＡＭ３５に書き込まれた後、その圧縮された画像データが、コントローラ３３によって伸長される。
【００５２】
伸長後の画像データは、コントローラ３３によって、ＤＲＡＭ３５の別のアドレスエリアに書き込まれた後、ＤＲＡＭ３５から読み出され、信号処理部１８を通じてＲＧＢデコーダ１９に供給されて、ＲＧＢ映像信号に変換され、そのＲＧＢ映像信号が、液晶モニタ３１に供給されて、液晶モニタ３１上に再生画像が表示される。
【００５３】
〔実施形態のデジタルカメラでのメニュー表示方法：図３〜図６〕
上述したデジタルカメラ１０では、コントローラ３３内のＲＯＭに書き込まれているメニュー表示処理ルーチンによるコントローラ３３の制御によって、以下のように液晶モニタ３１上にメニュー画面が表示される。
【００５４】
まず、図３上段に示すように、液晶モニタ３１上にメニューが開いていない状態で、メニューキー２５を押すと、図３中段に示すように、液晶モニタ３１上にメニュー画面が表示される。
【００５５】
具体的に、メモリカードについてのメニューページＰａが、ファイル削除やファイルコピーなどのメニュー項目Ｍａ１〜Ｍａ３を含み、１番上の操作ガイド部１に「実行キーで下記を選択」という操作ガイドＧ１が付加された状態で表示され、メニューページＰａの左側に、メモリカード、カメラ、セットアップについてのメニューページのページタグＴａ，Ｔｂ，Ｔｃが表示され、そのときのメニュー操作状態を示すカーソルが、メニューページＰａのページタグＴａ上に位置し、ページタグＴａが、他のページタグＴｂ，Ｔｃと異なる明るさや色で表示される。
【００５６】
ユーザは、ファイル削除やファイルコピーなどを行う場合には、この図３中段の状態で、まず、「実行キーで下記を選択」という操作ガイドＧ１に従って、実行キー２７を押す。
【００５７】
これによって、図４上段に示すように、メニューページＰａ内の操作ガイド部１の表示が、「戻る」という操作ガイドＧ０に変わるとともに、カーソルが、その操作ガイドＧ０上に移動し、操作ガイドＧ０が、メニュー項目Ｍａ１〜Ｍａ３と異なる明るさや色で表示される。ただし、ページタグＴａの表示自体は、変わらない。
【００５８】
この状態で、上下キー２６を下側に押すと、図４中段に示すように、カーソルがメニューページＰａ内でメニュー項目Ｍａ１上に移動し、この状態で、実行キー２７を押すと、メモリカードから画像ファイルを削除することができる。
【００５９】
さらに、図４中段のようにカーソルがメニュー項目Ｍａ１上にある状態で、上下キー２６を下側に押すと、図４下段に示すように、カーソルがメニューページＰａ内でメニュー項目Ｍａ２上に移動し、この状態で、実行キー２７を押すと、メモリカードに画像ファイルをコピーすることができる。
【００６０】
また、図４下段のようにカーソルがメニュー項目Ｍａ２上にある状態で、上下キー２６を上側に押すと、カーソルがメニュー項目Ｍａ１上に移動して、図４中段の状態に戻り、さらに、この状態で、上下キー２６を上側に押すと、カーソルが操作ガイドＧ０上に移動して、図４上段の状態に戻る。
【００６１】
この図４上段の状態で、「戻る」という操作ガイドＧ０に従って、実行キー２７を押すと、図３中段に示すように、操作ガイド部１の表示が「実行キーで下記を選択」という操作ガイドＧ１に変わるとともに、カーソルがメニューページＰａ内からページタグＴａ上に移動する。
【００６２】
この図３中段の状態で、上下キー２６を下側に押すと、図３下段に示すように、メモリカードについてのメニューページＰａに代えて、画像サイズやストロボなどのメニュー項目Ｍｂ１〜Ｍｂ３を含む、カメラについてのメニューページＰｂが表示される。
【００６３】
このとき、メニューページＰｂの１番上の操作ガイド部１には、図３中段のメニューページＰａの表示時と同様に、「実行キーで下記を選択」という操作ガイドＧ１が表示され、カーソルがページタグＴｂ上に移動し、ページタグＴｂが他のページタグＴａ，Ｔｃと異なる明るさや色で表示される。
【００６４】
この図３下段の状態で実行キー２７を押すと、図３中段の状態で実行キー２７を押した場合と同様に、メニューページＰｂ内の操作ガイド部１の表示が、「戻る」という操作ガイドに変わり、カーソルが、その操作ガイド上に移動する。
【００６５】
この状態で上下キー２６を下側に押し、実行キー２７を押すことによって、画像サイズやストロボなどの設定（設定変更）を行うことができる。
【００６６】
また、図３下段の状態で上下キー２６を下側に押すと、図では省略したが、カメラについてのメニューページＰｂに代えて、時計や表示言語などのメニュー項目を含む、セットアップについてのメニューページが表示され、カーソルがページタグＴｃ上に移動する。
【００６７】
この状態で実行キー２７を押すと、図３中段または図３下段の状態で実行キー２７を押した場合と同様に、セットアップについてのメニューページ内の操作ガイド部の表示が、「戻る」という操作ガイドに変わり、カーソルが、その操作ガイド上に移動する。
【００６８】
この状態で上下キー２６を下側に押し、実行キー２７を押すことによって、時計や表示言語などの設定（設定変更）を行うことができる。
【００６９】
さらに、図３中段、図３下段、図４上段、図４中段、図４下段など、液晶モニタ３１上にメニュー画面が表示されている状態で、メニューキー２５を押すと、メニューが閉じられる。
【００７０】
図５および図６に、コントローラ３３が実行する上述したメニュー表示処理ルーチンの一例を示す。
【００７１】
このメニュー表示処理ルーチン４０では、図３中段のようにメニューを開いた状態で、まずステップ４１で、メニューキー２５、上下キー２６および実行キー２７のうちの、いずれかのキーが操作されたか否かを判断し、いずれかのキーが操作されたときには、ステップ４２に進んで、上下キー２６が操作されたか否かを判断する。
【００７２】
そして、上下キー２６が操作されたときには、ステップ４２からステップ４３に進んで、操作ガイドは「実行キーで下記を選択」のまま、メニューページを変更し、カーソルを対応するページタグ上に移動させた後、ステップ４１に戻る。
【００７３】
ステップ４２で、操作されたのは上下キー２６ではないと判断したときには、ステップ４４に進んで、実行キー２７が操作されたか否かを判断する。
【００７４】
そして、実行キー２７が操作されたときには、ステップ４４からステップ４５に進んで、操作ガイドを「戻る」に変更し、カーソルを操作ガイド上に移動させて、同じメニューページを表示した後、ステップ４６に進む。
【００７５】
ステップ４６では、ステップ４１と同様に、メニューキー２５、上下キー２６および実行キー２７のうちの、いずれかのキーが操作されたか否かを判断し、いずれかのキーが操作されたときには、ステップ４７に進んで、上下キー２６が操作されたか否かを判断する。
【００７６】
そして、上下キー２６が操作されたときには、ステップ４７からステップ４８に進んで、メニューページ内でカーソルを移動させて、同じメニューページを表示した後、ステップ４６に戻る。
【００７７】
ステップ４７で、操作されたのは上下キー２６ではないと判断したときには、ステップ４９に進んで、実行キー２７が操作されたか否かを判断する。
【００７８】
そして、実行キー２７が操作されたときには、ステップ４９からステップ５１に進んで、カーソルが操作ガイド（このときは「戻る」という操作ガイド）上にあるか否かを判断する。
【００７９】
そして、カーソルが操作ガイド上にあるとき、すなわちカーソルが操作ガイド上にある状態で実行キー２７が押されたときには、ステップ５１からステップ５２に進んで、操作ガイドを「実行キーで下記を選択」に変更し、カーソルをページタグ上に移動させて、同じメニューページを表示した後、ステップ４１に戻る。
【００８０】
一方、カーソルがメニュー項目上にあるとき、すなわちカーソルがメニュー項目上にある状態で実行キー２７が押されたときには、ステップ５１からステップ５３に進んで、カーソルが位置するメニュー項目を実行して、同じメニューページを表示した後、ステップ４６に戻る。
【００８１】
ステップ４４または４９で、操作されたのは実行キー２７ではないと判断したとき、すなわちメニューキー２５が操作されたと判断したときには、ステップ５５に進んで、メニューを閉じる。
【００８２】
〔他の実施形態〕
上述した実施形態は、上下キー２６によって、メニューページを選択し、またはメニューページ内でメニュー項目を選択し、実行キー２７によって、カーソルをページタグ上からメニューページ内に、またはメニューページ内からページタグ上に移動させ、かつ選択したメニュー項目を実行させる場合であるが、例えば、上下キー２６および実行キー２７の代わりに、ジョグレバーまたはジョグダイヤルを用いて、ジョグレバーまたはジョグダイヤルを摺動または回転させることによって、メニューページを選択し、またはメニューページ内でメニュー項目を選択し、ジョグレバーまたはジョグダイヤルを押すことによって、カーソルをページタグ上からメニューページ内に、またはメニューページ内からページタグ上に移動させ、かつ選択したメニュー項目を実行させる構成とすることもでき、その場合でも、メニュー操作部を小型化することができる。
【００８３】
また、操作ガイドＧ１およびＧ０の具体的内容も、例えば、上記のようにジョグレバーまたはジョグダイヤルを用いる場合には、操作ガイドＧ１を「ＪＯＧ・ＰＵＳＨで下記を選択」とするなど、適宜変更することができる。
【００８４】
また、デジタルカメラのように画像を記録再生する機能を備える場合、その記録媒体としては、上述したメモリカード以外に、内部半導体メモリやフレキシブルディスクなどの、内部記憶媒体または外部記憶媒体を用いることができる。
【００８５】
さらに、この発明は、デジタルカメラや、画像を記録再生する機能を備える機器に限らず、機器の機能実行または設定（設定変更）のためのメニュー画面がディスプレイ上に表示される電子機器一般に適用することができる。
【００８６】
【発明の効果】
上述したように、この発明によれば、機器の小型化などのために、メニュー操作部およびディスプレイ画面を小型化することができるとともに、機器の多機能化に伴うメニューの階層化にかかわらず、メニュー操作についての誤操作を防止することができる。
【図面の簡単な説明】
【図１】この発明の一実施形態のデジタルカメラの外観構成を示す図である。
【図２】この発明の一実施形態のデジタルカメラの機能ブロック構成を示す図である。
【図３】実施形態のデジタルカメラでのメニュー表示態様の一部を示す図である。
【図４】実施形態のデジタルカメラでのメニュー表示態様の一部を示す図である。
【図５】実施形態のデジタルカメラのコントローラが実行するメニュー表示処理ルーチンの一例の一部を示す図である。
【図６】実施形態のデジタルカメラのコントローラが実行するメニュー表示処理ルーチンの一例の一部を示す図である。
【図７】インデックス方式のメニュー表示の一例を示す図である。
【図８】図７のメニュー表示に対応するメニュー操作部の一例を示す図である。
【図９】デジタルカメラの画像モニタおよびメニュー操作部の一例を示す図である。
【図１０】図９のデジタルカメラのメニュー表示の一例を示す図である。
【符号の説明】
主要部については図中に全て記述したので、ここでは省略する。
【図１】
2004080351.tif 000003
【図２】
2004080351.tif 000004
【図３】
2004080351.tif 000005
【図４】
2004080351.tif 000006
【図５】
2004080351.tif 000007
【図６】
2004080351.tif 000008
【図７】
2004080351.tif 000009
【図８】
2004080351.tif 000010
【図９】
2004080351.tif 000011
【図１０】
2004080351.tif 000012